(57)【要約】【課題】巡視者がデータ収集が必要な無人設備の電気計器の前でデータ伝送要求をすることで、携行しているＲＦＩＤタグにて本人を特定して巡視者が持参したデータ収集端末に自動的にデータが伝送、記録することで、データの読み取り誤りや誤記記入を不正で、常に正確なデータ収集を迅速に行えるようにしたプラント設備における設備巡視データ収集システムを提供すること。【解決手段】巡視者が携行するようにしたＲＦＩＤタグ５及びデータ収集端末器４と、プラント設備の電気計器側に配設し、ＩＤタグ（固有ＩＤ）の認証を行う認証コントローラ２及び電気計器１の計測データを送受信する計測データ送受信装置３とから構成する。【選択図】図１
2006119910.tif 000002
【特許請求の範囲】
【請求項１】
巡視者が携行するようにしたＲＦＩＤタグ及びデータ収集端末器と、プラント設備の電気計器側に配設し、固有ＩＤの認証を行う認証コントローラ及び電気計器の計測データを送受信する計測データ送受信装置とから構成したことを特徴とするプラント設備における設備巡視データ収集システム。
【請求項２】
データを収集する電気計器の前で、ＲＦＩＤタグと認証コントローラ間にて送受信してＲＦＩＤタグの情報に基づいて巡視者を特定し、かつデータ収集端末器と計測データ送受信装置との間にてデータ収集端末器からのデータ送信要求により計測データ送受信装置から電気計器の計測データをデータ収集端末器に送り、記録するようにしたことを特徴とする請求項１記載のプラント設備における設備巡視データ収集システム。
【発明の詳細な説明】
【技術分野】
【０００１】
本発明は、プラント設備における設備巡視データ収集システムに関し、特に、公共ライフライン設備、例えば、電気、ガス、水道、下水道などにおけるプラント設備において、設備運転状態の計測データを収集する際、巡視者がデータ収集が必要な無人設備、例えば、電気計器の前で、該電気計器の持つデータの伝送（送信）要求を行うと、巡視者が携行しているデータ収集端末に自動的にデータが伝送、記録されるようにしたプラント設備における設備巡視データ収集システムに関するものである。
【背景技術】
【０００２】
従来、電気、ガス、水道、下水道などの公共ライフラインのプラント設備においては、高圧受配電盤（操作盤、計測器、メータ、スイッチ等を備えた電気計器、以下、「電気計器」という。）の１台もしくは複数台を設置し、各プラント設備が適正に運転されているか否かを検知、又はその運転状況等を検知するため、巡視者が定期的に各プラント設備を巡回して、各電気計器のデータを収集している。
【０００３】
ところで、プラント設備における各電気計器のデータは、巡視者が現場に出向き、各電気計器から目視にてデータを読み取り、このデータをデータ集計表などに記入するようにしているので、この電気計器からのデータの読み取り誤りや記入時の誤記等が生じて正確なデータ収集ができないという問題があった。
また、このデータの収集において、正規の巡視者が実際に現場の電気計器の前まで出向かず、適当なデータを記入又は第三者により記入することもできるので、データ収集結果と実際のデータとの間に誤差が生じ、不測の事故にも発展する虞があるという問題もあった。
【発明の開示】
【発明が解決しようとする課題】
【０００４】
本発明は、上記従来のプラント設備におけるデータ収集方法の有する問題点に鑑み、巡視者がデータ収集が必要な無人設備の電気計器の前でデータ伝送要求をすることで、携行しているＲＦＩＤタグにて本人を特定して巡視者が持参したデータ収集端末に自動的にデータが伝送、記録することで、データの読み取り誤りや誤記記入を不正で、常に正確なデータ収集を迅速に行えるようにしたプラント設備における設備巡視データ収集システムを提供することを目的とする。
【課題を解決するための手段】
【０００５】
上記目的を達成するため、本発明のプラント設備における設備巡視データ収集システムは、巡視者が携行するようにしたＲＦＩＤタグ及びデータ収集端末器と、プラント設備の電気計器側に配設し、固有ＩＤの認証を行う認証コントローラ及び電気計器の計測データを送受信する計測データ送受信装置とから構成したことを特徴とする。
【０００６】
この場合において、データを収集する電気計器の前で、ＲＦＩＤタグと認証コントローラ間にて送受信してＲＦＩＤタグの情報に基づいて巡視者を特定し、かつデータ収集端末器と計測データ送受信装置との間にてデータ収集端末器からのデータ送信要求により計測データ送受信装置から電気計器の計測データをデータ収集端末器に送り、記録するようにすることができる。
【発明の効果】
【０００７】
本発明のプラント設備における設備巡視データ収集システムによれば、巡視者が携行するようにしたＲＦＩＤタグ及びデータ収集端末器と、プラント設備の電気計器側に配設し、固有ＩＤの認証を行う認証コントローラ及び電気計器の計測データを送受信する計測データ送受信装置とから構成することにより、簡単な方法で電気計器に近づく巡視者の識別を行い、かつ電気計器から収集されたデータを自動的に記録するので、データの収集が正確に、迅速に行うことができる。
【０００８】
また、データを収集する電気計器の前で、ＲＦＩＤタグと認証コントローラ間にて送受信して固有ＩＤの情報に基づいて巡視者を特定し、かつデータ収集端末器と計測データ送受信装置との間にてデータ収集端末器からのデータ送信要求により計測データ送受信装置から電気計器の計測データをデータ収集端末器に送り、記録するようにすることにより、巡視者が所定のデータを収集すべき電気計器に近づくだけで、自動的にデータの収集と記録とを行うことができる。
【発明を実施するための最良の形態】
【０００９】
以下、本発明のプラント設備における設備巡視データ収集システムの実施の形態を、図面に基づいて説明する。
【実施例１】
【００１０】
図１〜図３に、本発明のプラント設備における設備巡視データ収集システムの一実施例を示す。
【００１１】
本発明のプラント設備における設備巡視データ収集システムは、巡視者が携行するようにしたＲＦＩＤタグ５及びデータ収集端末器４と、プラント設備の電気計器側に配設し、ＩＤタグ（固有ＩＤ）の認証を行う認証コントローラ２及び電気計器１の計測データを送受信する計測データ送受信装置３とから構成する。
【００１２】
また、巡視者がデータを収集する電気計器前の所定位置に来たとき、巡視者が携行するＲＦＩＤタグにより認証コントローラとの間にて送受信して、固有ＩＤの情報に基づいて巡視者を特定するとともに、巡視者が携行するデータ収集端末器と計測データ送受信装置との間にて、データ収集端末器からのデータ送信要求により計測データ送受信装置から電気計器の計測データをデータ収集端末器側に伝送し、このデータをデータ収集端末器に記録するようにする。
【００１３】
プラント設備に配設される電気計器１には、認証コントローラ（ＣＴＬ）２と、電気計器１からのデータを収集するよう、特に限定されるものではないが、例えば、ＬＡＮにて接続した計測データ送受信装置（ＡＩ／ＯＣＴＬ）３とを配設し、認証コントローラ２からの発信許可を受け、かつデータ収集端末器４側からのデータ送信要求に基づいて電気計器１から収集したデータを、データ収集端末器４側に送信するようにする。
この認証コントローラ２とデータ収集端末器４間の無線信号の送受信は、計測データ送受信装置３に配設したアンテナ３１と、データ収集端末器４に配設したアンテナ４１を介して、ＲＦＩＤ（Radio Frequency Identification（電波方式認識））にて行うことができ、この無線通信により電気計器１からのデータを収集する。
また、電気計器１から収集するデータとしては、特に限定されるものではないが、例えば、図１に示すように、使用電力量Ｗｈ、使用電力Ｗ、電流Ａ、電圧Ｖ等のデータを送信するようにする。
【００１４】
この認証コントローラ２は、特に限定されるものではないが、例えば、位置ＩＤ生成回路と認証判定回路よりなる計算機ＣＰＵに、位置ＩＤ生成回路にて形成された位置ＩＤの信号を光信号変換回路にて光信号に変換し、赤外線発光器２１より発光するようにし、またＲＦＩＤタグ５のアンテナから発信されたタグＩＤを、認証コントローラ２に付設のアンテナ２２にて受信し、認証コントローラ２内の認証用データベースよりタグＩＤと位置ＩＤの認証結果を取得し、この認証結果をＬＡＮ等の回線２３にて計測データ送受信装置（ＡＩ／ＯＣＴＬ）３に配信するように構成する。
【００１５】
計測データ送受信装置３は、電気計器１から使用電力量Ｗｈ、使用電力Ｗ、電流Ａ、電圧Ｖ等のデータを収集し、認証コントローラ２からの発信許可を受け、かつデータ収集端末器４側からのデータ送信要求を受けた場合、付設のアンテナ３１を介してデータ収集端末器４側にデータを送信するように構成する。
【００１６】
また、ＲＦＩＤタグ５には、個人データ、特に限定されるものではないが、例えば、氏名、所属部署、資格などを予め入力されているもので、これは、巡視者等Ｍが所持する場合、名札やバッチの如く形成して胸に装着するか、首から吊り下げる等、人が携行しやすい大きさ、形状とようにし、電気計器側からの発光赤外線を受光できるように構成し、このＲＦＩＤタグ５と認証コントローラ２間の送受信は、受光フォトダイオード５１とアンテナ５２により、光と無線信号（ＲＦＩＤ）とにて行うようにする。
このＲＦＩＤタグ５は、１つのバッチケース内に、発光赤外線を受光できるようにした受光フォトダイオード５１と、この受光フォトダイオードにて受光した光信号を位置ＩＤに変換するようにした受信回路と、この位置ＩＤとタグＩＤ（固有ＩＤ）を合成するようにしたＩＤ合成回路と、合成ＩＤを電波、例えば、無線信号に合成する発信回路と、この無線信号を発信するアンテナ５２とより構成する。
【００１７】
なお、例えば、図２〜図３に示すように、電気計器１が複数台配設される場合、各電気計器１にアンテナ３１を付設した計測データ送受信装置３と、認証コントローラ２から切り離した赤外線発光器２１とをそれぞれ配設し、この各電気計器１の赤外線発光器２１を別設した１台の認証コントローラ２と接続し、かつ該認証コントローラ２と各電気計器１前の赤外線受光範囲内に来た巡視者等が所持するＲＦＩＤタグ５との間で通信を行えるようにする。
【００１８】
次に、本発明のプラント設備における設備巡視データ収集システムの作用について説明する。
固有ＩＤを有するＲＦＩＤタグ５を所持している巡視者が、プラント設備に配設された電気計器１に近づき、赤外線発光器２１の赤外線照射エリア内に進入するとＲＦＩＤタグ５にてこの赤外線信号を受光すると、該ＩＤタグ５より個人データを入力したタグＩＤ（固有ＩＤ）をアンテナ２２、５２を介して認証コントローラ２にて受信する。これはＲＦＩＤタグ５を所持している巡視者が赤外線の受光可能範囲に近づくと、自動的に認証コントローラ２とＲＦＩＤタグ５間にて光、電波にて送受信を行う。この光、電波の送受信により、タグＩＤを認証コントローラ２にて読み取り、該ＲＦＩＤタグの固有ＩＤをコントローラ側に予め入力された認証用データベースより判定して位置ＩＤ及びタグＩＤの認証を行い、正規の巡視者か否かを判別する。
【００１９】
そして、正規の巡視者でないと判別した場合は、それ以後の通信は不可となり、データの収集を行えなくなるが、正規の巡視者と判別した場合は、この認証結果をＬＡＮ等２３を通じて計測データ送受信装置３に発信許可を伝達する。また、巡視者が所持しているデータ収集端末器４と計測データ送受信装置３との間でデータ送信要求の送受信を行うことにより、計測データ送受信装置３は、電気計器１より収集したデータを無線（ＲＦＩＤ）にてデータ収集端末器４へ伝送し、この収集データをデータ収集端末器４に記録する。このようにして、複数配設されている各電気計器１からのデータを収集、記録するようにする。
【００２０】
以上、本発明のプラント設備における設備巡視データ収集システムについて、実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明のプラント設備における設備巡視データ収集システムは、データ収集が必要な無人設備に巡視者が近づくだけで、巡視者を特定し、かつ設備運転状態の必要計測データを自動的に収集し、巡視者が携行しているデータ収集端末に自動的にデータが伝送、記録されるという特性を有していることから、プラント設備の設備巡視データ収集システムの用途に好適に用いることができるほか、例えば、生産設備における各機械の運転状況等のデータ収集や監視の用途にも用いることができる。
【図面の簡単な説明】
【００２２】
【図１】本発明のプラント設備における設備巡視データ収集システムの一実施例を示す説明図である。
【図２】電気計器を複数台配設した場合の説明図である。
【図３】図２における外観説明図である。
【符号の説明】
【００２３】
１    電気計器
２    認証コントローラ（ＣＴＬ）
２１  赤外線発光器（赤外線発光ＬＥＤ）
２２、３１、４１、５２  アンテナ
２３  ＬＡＮ
３    計測データ送受信装置（ＡＩ／ＯＣＴＬ）
４    データ収集端末器
５    ＲＦＩＤタグ
５１  受光フォトダイオード
【図１】
2006119910.tif 000003
【図２】
2006119910.tif 000004
【図３】
2006119910.tif 000005